(57)【要約】【課題】携帯型電子機器に対する電源供給が便利なカバーケースを提供する。【解決手段】二つのカバープレート１１０、１２０、連接部１３０および電池モジュール１４０を含む。二つのカバープレート１１０、１２０は、内表面１１２、１２２をそれぞれ有する。連接部１３０は、二つのカバープレート１１０、１２０を相互に連接させ、相対的に折り畳むことにより、内表面１１２、１２２がそれぞれ携帯型電子機器２００の両側を覆う。電池モジュール１４０は、二つのカバープレート１１０、１２０の少なくとも一つに設けられ、第１の連接線１４２を有する。第１の連接線１４２は、携帯型電子機器を電気的に接続するのに用いられ、携帯型電子機器に電源を供給する。【選択図】図２
0003183411.tif 000002
【実用新案登録請求の範囲】
【請求項１】
内表面をそれぞれ有する二つのカバープレートと、
前記二つのカバープレートを相互に連接させ、相対的に折り畳むことにより、前記内表面がそれぞれ携帯型電子機器の両側を覆う連接部と、
前記二つのカバープレートの少なくとも一つに設けられ、第１の連接線を有し、前記第１の連接線は前記携帯型電子機器を電気的に接続するのに用いられ、前記携帯型電子機器に電源を供給する電池モジュールと、を含むことを特徴とするカバーケース。
【請求項２】
前記二つのカバープレートは、前記内表面を有する第１の内層材料層と、前記第１の内層材料層が相対する内表面側に配置された第１の外層材料層と、含むことを特徴とする請求項１に記載のカバーケース。
【請求項３】
前記二つのカバープレートは、前記第１の内層材料層と前記第１の外層材料層との間に設けられた裏側緩衝材料層を、さらに含むことを特徴とする請求項２に記載のカバーケース。
【請求項４】
前記電池モジュールは、前記二つのカバープレートのうちの少なくとも一つの前記第１の内層材料層と前記第１の外層材料層との間に設けられていることを特徴とする請求項２に記載のカバーケース。
【請求項５】
前記二つのカバープレートは、前記内層材料層と前記電池モジュールとの間、および前記外層材料層と前記電池モジュールとの間の少なくとも一つに裏側緩衝材料層をさらに有することを特徴とする請求項４に記載のカバーケース。
【請求項６】
前記二つのカバープレートは、前記一方のカバープレートに第１の留め具を有し、前記もう一方のカバープレートに前記第１の留め具に対応する第２の留め具を有し、前記第１の留め具および前記第２の留め具は前記二つのカバープレートが相対的に折り畳む際に、相互に嵌合することを特徴とする請求項１に記載のカバーケース。
【請求項７】
前記第１の留め具および前記第２の留め具は、チャック、面ファスナーのフックおよびループ、スナップボタンの凸部および凹部、極性が反対の永久磁石、永久磁石および強磁性体、ホックおよびホックの穴、ピンおよびピン穴のうちの少なくとも一つであることを特徴とする請求項６に記載のカバーケース。
【請求項８】
前記連接部は、第２の内層材料層、および前記第２の内層材料層の前記携帯型電子機器に対する側に設けられた第２の外層材料層を含むことを特徴とする請求項１に記載のカバーケース。
【請求項９】
前記第１の連接線は、前記第２の内層材料層と前記第２の外層材料層との間に埋設され、前記第２の内層材料層を貫通して前記複数の内表面の間まで延伸することを特徴とする請求項８に記載のカバーケース。
【請求項１０】
前記電池モジュールは、外部電源に電気的に接続し、外部電源により電源を供給され、前記第２の内層材料層と前記第２の外層材料層との間に埋設され、前記第２の外層材料層を貫通して外部に延伸する第２の連接線をさらに含むことを特徴とする請求項８に記載のカバーケース。
【請求項１１】
前記連接部は、内部が空洞の回転軸で、前記第１の連接線が前記空洞の回転軸内に埋設され、前記空洞の回転軸を貫通して前記複数の内表面の間まで延伸することを特徴とする請求項１に記載のカバーケース。
【請求項１２】
前記電池モジュールは、外部電源に電気的に接続し、外部電源により電源を供給され、前記空洞の回転軸内に埋設され、空洞の回転軸を貫通して外部へ延伸する第２の連接線をさらに含むことを特徴とする請求項１１に記載のカバーケース。
【請求項１３】
前記連接部に隣接し、前記第１の連接線を複数の内表面のうちの一つ、または前記複数の内表面間に保持する保持部をさらに含むことを特徴とする請求項１に記載のカバーケース。
【請求項１４】
前記保持部は、収縮ベルト、面ファスナー、凹部、粘着ユニット、ホックのうちの少なくとも一つであることを特徴とする請求項１３に記載のカバーケース。
【請求項１５】
前記携帯型電子機器は、ネットブックまたはノートＰＣであることを特徴とする請求項１に記載のカバーケース。
【考案の詳細な説明】
【技術分野】
【０００１】
本考案は、カバーケースに関し、特に、携帯電子機器に用いられるカバーケースに関する。
【背景技術】
【０００２】
テクノロジーの発展にともない、ＭＰ３およびＭＰ４などのマルチメディアプレーヤー、携帯電話、ＰＤＡ、携帯ゲーム機、電子ブック、タブレットＰＣ、ネットブック、ノートＰＣなど携帯型電子機器は、生活上で不可欠なものとなった。デスクトップＰＣと異なり、携帯型電子機器は、携帯に利便性があることが長所で、時および場所にかかわらず、広範に使用されている。
【０００３】
軽薄短小および携帯における便利さというニーズに応えるため、携帯型電子機器は、電池容量が大きくないことが多い。そのため、電源供給器を携帯していなかったり、屋外でコンセントが使えなかったりした場合、予備バッテリーを用いないと携帯型電子機器を長時間使用することができなかった。
【０００４】
ここで重要なのは、従来のカバーケースは、携帯型電子機器のみを収納し、予備バッテリー、電源供給器などの周辺装置を収納する空間がなく、予備バッテリーの携帯に不便であったことである。ユーザーが携帯しやすいように、カバーケースに携帯型電子機器および予備バッテリーを収納した場合、携帯型電子機器の表面が予備バッテリーにより傷付けられる恐れがあった。また、従来の保護袋は、十分な収納空間に予備バッテリーを収納することができるが、使用に際して、携帯型電子機器および予備バッテリーを一緒に取り出さなければ、予備バッテリーを使って携帯型電子機器に電源を供給することができなく、不便であった。そのため、携帯型電子機器とともに携帯しやすく、時および場所にかかわらず携帯型電子機器に電源を供給するのに便利であるカバーケースの提供が待たれていた。
【先行技術文献】
【特許文献】
【０００５】
【特許文献１】実用新案登録第３０８６２９８号公報
【考案の概要】
【考案が解決しようとする課題】
【０００６】
本考案の目的は、携帯型電子機器に対する電源供給が便利なカバーケースを提供することにある。
【課題を解決するための手段】
【０００７】
上述の目的を達成するため、本考案は、カバーケースを提供する。本考案のカバーケースは、二つのカバープレート、連接部および電池モジュールを含む。二つのカバープレートは、内表面をそれぞれ有する。連接部は、二つのカバープレートを相互に連接させ、相対的に折り畳むことにより、内表面がそれぞれ携帯型電子機器の両側を覆う。電池モジュールは、二つのカバープレートの少なくとも一つに設けられ、第１の連接線を有する。第１の連接線は、携帯型電子機器を電気的に接続するのに用いられ、携帯型電子機器に電源を供給する。
【考案の効果】
【０００８】
本考案のカバーケースは、連接線を介して携帯型電子機器に電気的に接続する電池モジュールを内蔵しているため、カバーケースにより携帯型電子機器を保護するだけでなく、いつでもどこでもカバーケースに内蔵された電池モジュールにより携帯型電子機器に電源を供給することができる。電池モジュールは、カバーケース内部に向かって延伸した連接線を介して携帯型電子機器に電気的に接続するため、カバーケースから携帯型電子機器を取り出さずそのまま携帯型電子機器に電源を供給することができる。また、電池モジュールは、連接部を貫通してカバーケースの外側に延伸した連接線を介し、外部電源に電気的に接続し、外部電源により充電を行なうことができる。
【図面の簡単な説明】
【０００９】
【図１】本考案の第１の実施形態によるカバーケースを示す平面図である。
【図２】図１のI−I線での断面図である。
【図３】図１のカバーケースの使用状態を示す断面図である。
【図４】本考案の第２の実施形態によるカバーケースを示す断面図である。
【考案を実施するための形態】
【００１０】
以下、本考案の実施形態を図面に基づいて説明する。
【００１１】
図１〜３を参照して説明する。図１は、本考案の第１の実施形態によるカバーケースを示す平面図である。図２は、図１のI−I線での断面図である。図３は、図１のカバーケースの使用状態を示す断面図である。図１〜３に示すように、本考案のカバーケース１００は、携帯型電子機器２００を収納するのに用いられる。携帯型電子機器２００は、ＭＰ３やＭＰ４などのマルチメディアプレーヤー、携帯電話、ＰＤＡ、携帯ゲーム機、電子ブック、タブレットＰＣ、ネットブック、ノートＰＣなどの携帯型電子機器である。
【００１２】
カバーケース１００は、第１のカバープレート１１０、第２のカバープレート１２０、連接部１３０および電池モジュール１４０を含む。第１のカバープレート１１０は、内表面１１２を有し、第２のカバープレート１２０は、内表面１２２を有する。第１のカバープレート１１０および第２のカバープレート１２０は、連接部１３０を介して相互に連接し、連接部１３０で折り畳むことにより二つの内表面１１２および内表面１２２がそれぞれ携帯型電子機器２００の上下両面を覆う。また、電池モジュール１４０は、第２のカバープレート１２０内に埋め込まれ、連接線１４２を有する。携帯型電子機器２００は、連接線１４２を介して電池モジュール１４０に電気的に接続して電池モジュール１４０から電源が供給されるようになっている。図示されていないが、その他の実施形態において、電池モジュールが第１のカバープレート内に埋め込まれたり、第１のカバープレートおよび第２のカバープレートの両方に埋め込まれたりしてもよい。
【００１３】
以下、詳細に説明を加える。第１のカバープレート１１０は、例えば、内層材料層１１４、外層材料層１１６および裏側緩衝材料層１１８が重なり合ってなる。内層材料層１１４は、第１のカバープレート１１０上の携帯型電子機器２００に相対した面に設けられ、内表面１１２を有する。外層材料層１１６は、第１のカバープレート１１０上の携帯型電子機器２００から離れた面に設けられている。裏側緩衝材料層１１８は、内層材料層１１４と外層材料層１１６との間に設けられている。図示されていないが、その他の実施形態において、第１のカバープレートが一つの内層材料層だけからなり、外層材料層および裏側緩衝材料層を有さなくてもよい。また、第１のカバープレートは、内層材料層および外層材料層だけを有し、裏側緩衝材料層を有さなくてもよい。
【００１４】
内層材料層１１４は、材料が繊維布であってもよいし、携帯型電子機器２００の表面を傷付けなければ、その他の材料でもよい。外層材料層１１６は、金属、プラスチック、皮革、合成皮革、ポリウレタン、布などの材料でもよい。裏側緩衝材料層１１８は、石油基質の発泡材料、発泡ポリエチレン、ＥＶＡ樹脂またはＥＶＡＣ樹脂、ＳＢＲ樹脂、ＳＣＲ樹脂、形状記憶発泡材料、スポンジなど緩衝機能を有する材料からなる。
【００１５】
第２のカバープレート１２０も、内層材料層１２４、外層材料層１２６および裏側緩衝材料層１２８が重なり合ってなってもよい。裏側緩衝材料層１２８には、電池モジュール１４０が埋設されている。裏側緩衝材料層１２８は、内層材料層１２４と電池モジュール１４０との間に設けられているだけでなく、外層材料層１２６と電池モジュール１４０との間に設けられている。内層材料層１２４、外層材料層１２６および裏側緩衝材料層１２８が重なり合う方法および材料は、第１のカバープレート１１０の内層材料層１１４、外層材料層１１６および裏側緩衝材料層１１８と同様であるため、説明の重複を避ける。図示されていないが、その他の実施形態において、第２のカバープレートは、内層材料層および外層材料層だけを有し、裏側緩衝材料層を有さなくてもよい。この場合、電池モジュールは、内層材料層と外層材料層との間に埋設される。
【００１６】
連接部１３０は、例えば、外層材料層１１６および外層材料層１２６と一体成形される単一層の材料層である。連接部１３０は、外層材料層１１６と外層材料層１２６との間に連接され、材料が外層材料層１１６および外層材料層１２６と同様である。図示されていないが、その他の実施形態においては、第１のカバープレートの外層材料層は、内層材料層の外表面上に形成された塗工層でもよいし、内層材料層の外表面に表面処理を行なった材料層でもよい。この場合の連接部の材料は、第１のカバープレートおよび第２のカバープレートが連接部を介して相対的に開閉できるように、金属、プラスチック、皮革、合成皮革、ポリウレタン、布などであるか、あるいはその他のフレキシブルな材料でもよい。
【００１７】
連接線１４２は、例えば、電池モジュール１４０から裏側緩衝材料層１２８を貫通して、第１のカバープレート１１０、第２のカバープレート１２０と連接部１３０との間に形成された溝１５０まで延伸し、その末端に位置する電源コード差込１４４が携帯型電子機器２００の電源コード差込口２１０内に挿着される。これにより、電池モジュール１４０は、図２に示すように、携帯型電子機器２００をカバーケース１００内に収納したまま携帯型電子機器２００に電源を供給できる。さらに、図３に示すように、携帯型電子機器２００をカバーケース１００内に入れて作業が行なわれていても電源を供給することができる。
【００１８】
図２を参照して説明する。電池モジュール１４０は、連接線１４６をさらに有することもできる。例えば、連接線１４６は、電池モジュール１４０から裏側緩衝材料層１２８を貫通し、溝１５０まで延伸し、連接部１３０を貫通し、カバーケース１００の外側に延伸し、その末端に位置するプラグ１４８が外部電源（図示せず）に電気的に接続することができる。これにより、電池モジュール１４０は、図２または図３の状態、あるいはカバーケース１００が携帯型電子機器２００を収納していない状態において、外部電源により充電を行なうことができる。
【００１９】
本実施形態において、第１のカバープレート１１０は、留め具１１９をさらに有することもできる。また、第２のカバープレート１２０は、留め具１２９をさらに有することもできる。留め具１１９、１２９は、位置的に対応し、第１のカバープレート１１０および第２のカバープレート１２０が相対的に折り畳まれると相互に噛み合わさり、携帯型電子機器２００をカバーケース１００内にしっかりと収納する。留め具１１９、１２９は、図１〜３に示すように、チャックであったり、図示されていないが、面ファスナーのフックおよびループ、スナップボタンの凸部および凹部、極性が反対の永久磁石、永久磁石および強磁性体、ホックおよびホックの穴、ピンおよびピン穴でもよく、また、これらの組み合わせでもよい。
【００２０】
図示されていないその他の実施形態において、携帯型電子機器に電気的に接続する連接線が裏側緩衝材料層および内層材料層を貫通してカバーケースまで直接延伸してもよい。カバーケースは、連接部に隣接する保持部をさらに含む。保持部は、第１のカバープレートまたは第２のカバープレートの内表面上に連接部を保持するのに用いられる。また、外部電源に電気的に接続する連接線は、裏側緩衝材料層および内層材料層を貫通してカバーケースまで直接延伸してもよい。カバーケースは、連接部に隣接する保持部をさらに含む。保持部は、収縮ベルト、面ファスナー、凹部、粘着ユニット、ホックのうちの少なくとも一つである。上記の連接線は、下記の実施形態で示すように、連接部内に埋設されてもよい。
【００２１】
図４を参照して説明する。図４は、本考案の第２の実施形態によるカバーケースを示す断面図である。図４に示すように、連接部１３０は、例えば、一つの内層材料層１３２および一つの外層材料層１３４からなる。内層材料層１３２、内層材料層１１４、内層材料層１２４は、一体成形され、外層材料層１３４、外層材料層１１６、外層材料層１２６も、一体成形される。内層材料層１３２は、内層材料層１１４と内層材料層１２４との間に連接され、内層材料層１１４および内層材料層１２４と同じ材料である。外層材料層１３４は、外層材料層１１６と外層材料層１２６との間に連接され、外層材料層１１６および外層材料層１２６と同じ材料である。また、連接線１４２および連接線１４６は、裏側緩衝材料層１１８、裏側緩衝材料層１２８と、内層材料層１３２と外層材料層１３４との間の収納空間１６０内に埋設形成される。
【００２２】
連接線１４２は、例えば、携帯型電子機器２００に電気的に接続するため、収納空間１６０から内層材料層１３２を貫通し、内表面１１２と内表面１２２との間に延伸している。連接線１４６は、携帯型電子機器２００に電気的に接続するため、収納空間１６０から外層材料層１３４を貫通し、カバーケース１００まで延伸している。
【００２３】
図示されていないその他の実施形態において、内部が空洞の回転軸を用いて連接部に変えてもよい。この際、連接線および連接線は、回転軸内に埋設され、それぞれ回転軸を貫通してカバーケースおよび外部に延伸している。
【００２４】
以上のように、本考案のカバーケースは、連接線を介して携帯型電子機器に電気的に接続する電池モジュールを内蔵している。そのため、カバーケースにより携帯型電子機器を保護するだけでなく、いつでもどこでもカバーケースに内蔵された電池モジュールにより携帯型電子機器に電源を供給することができる。電池モジュールは、カバーケース内部に向かって延伸した連接線を介して携帯型電子機器に電気的に接続するため、カバーケースから携帯型電子機器を取り出さずそのまま携帯型電子機器に電源を供給することができる。また、電池モジュールは、連接部を貫通してカバーケースの外側に延伸した連接線を介し、外部電源に電気的に接続し、外部電源により充電を行なうことができる。
【００２５】
本考案では好適な実施形態を前述の通りに開示したが、これらは決して本考案を限定するものではなく、当該技術を熟知する者は誰でも、本考案の精神と領域を脱しない範囲内で各種の変更や修正を加えることができる。従って、本考案の保護の範囲は、実用新案請求の範囲で指定した内容を基準とする。
【符号の説明】
【００２６】
１００  カバーケース
１１０  第１のカバープレート
１１２  内表面
１１４  内層材料層
１１６  外層材料層
１１８  裏側緩衝材料層
１１９  留め具
１２０  第２のカバープレート
１２２  内表面
１２４  内層材料層
１２６  外層材料層
１２８  裏側緩衝材料層
１２９  留め具
１３０  連接部
１３２  内層材料層
１３４  外層材料層
１４０  電池モジュール
１４２  連接線
１４４  電源コード差込
１４６  連接線
１４８  プラグ
１５０  溝
１６０  収納空間
２００  携帯型電子機器
２１０  電源コード差込口
【図１】
0003183411.tif 000003
【図２】
0003183411.tif 000004
【図３】
0003183411.tif 000005
【図４】
0003183411.tif 000006